(57)【要約】【課題】鼻づまりを速やかに解消して寝付きを良くする。【解決手段】鼻通り改善具１は、鼻通りを改善するために鼻部に装着される。鼻通り改善具１は、化学発熱組成物４を収容する一対の収容部２と、一対の収容部２を連結する連結部３とを備える。収容部２は、化学発熱組成物４を空気に接触させるための通気部を有する。通気部の透湿度は、６００ｇ／（ｍ2・２４ｈ）〜２００００ｇ／（ｍ2・２４ｈ）である。【選択図】図１
2020103590.tif 000002
【特許請求の範囲】
【請求項１】
鼻通りを改善するために鼻部に装着される鼻通り改善具であって、
化学発熱組成物を収容する一対の収容部と、一対の前記収容部を連結する連結部とを備え、前記収容部が、前記化学発熱組成物を空気に接触させるための通気部を有し、
前記通気部の透湿度が、６００ｇ／（ｍ2・２４ｈ）〜２００００ｇ／（ｍ2・２４ｈ）であることを特徴とする鼻通り改善具。
【請求項２】
装着した時に鼻の側壁を外側に引っ張る弾性部材が、前記連結部に配設されていることを特徴とする請求項１に記載の鼻通り改善具。
【請求項３】
一対の前記収容部の中心間の距離が、５５ｍｍ〜９０ｍｍであることを特徴とする請求項１又は２に記載の鼻通り改善具。
【発明の詳細な説明】
【技術分野】
【０００１】
本発明は、鼻通りを改善するために鼻部に装着される鼻通り改善具に関する。
【背景技術】
【０００２】
例えば、風邪、花粉症等により鼻づまりを生じる場合がある。このように鼻づまりを生じると、鼻呼吸が妨げられるため、就寝時に寝付きが悪くなる。
【０００３】
鼻づまりを含めた鼻炎症状を改善する手段としては、例えば、特許文献１に開示されている鼻パックが挙げられる。特許文献１の鼻パックは、顔に装着され、その発熱体によって鼻腔又は副鼻腔を加熱することで鼻炎症状を改善しようとするものである。
【先行技術文献】
【特許文献】
【０００４】
【特許文献１】特開平１１−３４７０５９号公報
【発明の概要】
【発明が解決しようとする課題】
【０００５】
ところで、特許文献１では、発熱体の組成物として、いわゆる使い捨てカイロ（化学カイロ）で使用されている発熱組成物が挙げられている。しかしながら、一般的に、化学カイロは、外気に接触してから、十分に昇温するのに、ある程度時間がかかる。従って、特許文献１の鼻パックを装着しても、鼻づまりが解消するまでに時間がかかることになり、寝付きの改善にはならない。
【０００６】
本発明は、上記事情に鑑み、鼻づまりを速やかに解消して寝付きを良くすることを技術的課題とする。
【課題を解決するための手段】
【０００７】
上記課題を解決するために創案された本発明に係る鼻通り改善具は、鼻通りを改善するために鼻部に装着される鼻通り改善具であって、化学発熱組成物を収容する一対の収容部と、一対の前記収容部を連結する連結部とを備え、前記収容部が、前記化学発熱組成物を空気に接触させるための通気部を有し、前記通気部の透湿度が、６００ｇ／（ｍ2・２４ｈ）〜２００００ｇ／（ｍ2・２４ｈ）であることを特徴とする。ここで、透湿度（水蒸気透過度）の定義は、ＪＩＳ  Ｋ  ７１２９に準拠する（以下、同様）。
【０００８】
この構成によれば、通気部の透湿度が、６００ｇ／（ｍ2・２４ｈ）〜２００００ｇ／（ｍ2・２４ｈ）であるので、化学発熱組成物が速やかに空気に接触することが可能になる。従って、化学発熱組成物が、速やかに昇温することが可能になる。これにより、装着後、鼻づまりを速やかに解消することが可能になり、寝付きを良くすることが可能になる。
【０００９】
上記の構成において、装着した時に鼻の側壁を外側に引っ張る弾性部材が、前記連結部に配設されていてもよい。
【００１０】
この構成であれば、弾性部材により鼻腔を拡げることが可能なので、鼻づまりを解消する効果を高めることができる。
【００１１】
上記の構成において、一対の前記収容部の中心間の距離が、５５ｍｍ〜９０ｍｍであってもよい。
【００１２】
この構成であれば、刺激すると鼻づまりに効果があるとされる「鼻通」と呼ばれるツボの上に、収容部を配置することが可能になる。これにより、「鼻通」を温めることができ、鼻づまりを解消する効果を高めることが可能になる。また、連結部に弾性部材が配設されている場合には、収容部が「鼻通」上に位置すると、鼻の側壁を外側に引っ張るのに適切な位置に弾性部材を配置することが可能になる。
【発明の効果】
【００１３】
本発明によれば、鼻づまりを速やかに解消して寝付きを良くすることができる。
【図面の簡単な説明】
【００１４】
【図１】本発明の実施形態に係る鼻通り改善具を示す概略図であり、（Ａ）が概略平面図、（Ｂ）が（Ａ）のＸ−Ｘ線矢視概略断面図である。
【図２】鼻通り改善具を装着した状態を示す概略図である。
【図３】鼻通り改善具の変形例を示す図１（Ｂ）に相当する概略断面図である。
【図４】本発明の実施例に係るサンプルを示す概略図であり、（Ａ）が概略平面図、（Ｂ）が（Ａ）のＹ−Ｙ線矢視概略断面図である。
【図５】発熱特性を示すデータである。
【図６】時間に対する発熱温度のグラフである。
【図７】両方の鼻穴で息をした場合の鼻づまりの改善の程度を示すグラフである。
【図８】鼻づまりが強い片方の鼻穴だけで息をした場合の鼻づまりの改善の程度を示すグラフである。
【図９】鼻づまりが弱い片方の鼻穴だけで息をした場合の鼻づまりの改善の程度を示すグラフである。
【発明を実施するための形態】
【００１５】
以下、本発明の実施形態を図面に従って説明する。
【００１６】
図１は、本発明の実施形態に係る鼻通り改善具を示す概略図であり、（Ａ）が概略平面図、（Ｂ）が（Ａ）のＸ−Ｘ線矢視概略断面図である。本実施形態に係る鼻通り改善具１は、鼻通りを改善するために鼻部に装着されるものであり、一対の収容部２と、一対の収容部２を連結する連結部３とを備える。一対の収容部２のそれぞれが、化学発熱組成物４を収容している。また、連結部３には、装着した時に鼻の側壁を外側に引っ張る弾性部材５が配設されている。
【００１７】
また、鼻通り改善具１は、表側シート部材６と、裏側シート部材７と、粘着層８と、剥離部材９を備える。
【００１８】
表側シート部材６は、長手方向の両端側に、表側に突出した突出部６ａを有し、この突出部６ａと、裏側シート部材７とで、収容部２が構成されている。また、弾性部材５は、表側シート部材６と裏側シート部材７との間に配設されている。表側シート部材６と裏側シート部材７は、例えば、不図示の接着剤で接着されている。
【００１９】
突出部６ａは、平面視円形状であり、収容部２の内部空間は、高さの低い略円柱状である。表側シート部材６と、裏側シート部材７と、粘着層８と、剥離部材９の平面視での全体形状は、長手方向の中央位置から長手方向の収容部２の中心位置まで漸次幅が増大し、長手方向の収容部２の中心位置より端部側では、円形状になっている。
【００２０】
粘着層８は、裏側シート部材７の裏面に形成されている。剥離部材９は、粘着層８に対して剥離可能な状態で、粘着層８の裏面に取り付けられている。なお、本実施形態では、粘着層８は、裏側シート部材７の裏面の全域に形成されているが、一部領域のみに形成されてもよい。
【００２１】
化学発熱組成物４は、いわゆる使い捨てカイロ（化学カイロ）で使用されている発熱組成物である。この化学発熱組成物４は、金属の酸化熱を利用するものであり、一般に、鉄粉等の金属粉、食塩等の金属ハロゲン化物、水、活性炭粉末、および保水材等を含有している。また、化学発熱組成物４は、最高発熱温度を制御する温度制御剤（例えば、特許第６２７３４８１号公報参照）等を更に含有してもよい。
【００２２】
また、本実施形態では、化学発熱組成物４が、原料を打錠成形することにより製造された打錠成形体である。なお、打錠成形とは、打錠機で、原料を加圧して錠剤の形状にすることである。打錠成形体の形は、収容部２の内部空間の形状に即した、低い高さの略円柱状（平面視で円形状）である。しかし、打錠成形体の形状は、これに限定されず、例えば、角柱状等であってもよい。また、化学発熱組成物４は、打錠成形体に限定されず、粉末状等であってもよい。
【００２３】
化学発熱組成物４の平面視での面積は、例えば２００ｍｍ2〜５００ｍｍ2であり、２５０ｍｍ2〜４５０ｍｍ2がより好ましく、３００ｍｍ2〜４００ｍｍ2が最も好ましい。化学発熱組成物４の平面視での面積が、２００ｍｍ2より小さい場合、鼻づまり解消効果が十分に得られなくなる可能性がある。化学発熱組成物４の平面視での面積が、５００ｍｍ2を超える場合、化学発熱組成物４が多量に必要になり、製造コストが増大する可能性がある。
【００２４】
表側シート部材６、裏側シート部材７は、通気性を有する材料であり、例えば、ポリエチレン、ポリプロピレン等を使用した不織布等で構成される。本実施形態では、表側シート部材６と裏側シート部材７は、同一の材料であるが、異なる材料であってもよい。
【００２５】
表側シート部材６、裏側シート部材７の透湿度は、６００ｇ／（ｍ2・２４ｈ）〜２００００ｇ／（ｍ2・２４ｈ）であり、１０００ｇ／（ｍ2・２４ｈ）〜１００００ｇ／（ｍ2・２４ｈ）がより好ましく、２０００ｇ／（ｍ2・２４ｈ）〜８０００ｇ／（ｍ2・２４ｈ）が最も好ましい。透湿度が６００ｇ／（ｍ2・２４ｈ）未満の場合、化学発熱組成物４が速やかに昇温せず、鼻づまりを速やかに解消できなくなる可能性がある。透湿度が２００００ｇ／（ｍ2・２４ｈ）を超える場合、化学発熱組成物４の発熱反応が進み過ぎて発熱時間が短くなる可能性がある。
【００２６】
発熱温度（肌側となる温度）に関する特性として、立ち上がり時間（本実施形態では、３１．５℃から３９．９℃になるまでの時間）、最高温度、持続時間（本実施形態では、４０℃以上になっている間の時間）がある。ここで、発熱温度の測定方法は、ＪＩＳ  Ｓ  ４１００の「通常法」に準拠する（以下、同様）。
【００２７】
立ち上がり時間は、例えば６０秒以内が好ましく、５０秒以内がより好ましく、４０秒以内が最も好ましい。立ち上がり時間が、６０秒を超えると、鼻通り改善具１を装着後、鼻づまりを速やかに解消することが難しくなる可能性がある。
【００２８】
最高温度は、例えば４３℃〜６５℃が好ましく、４３℃〜６０℃がより好ましく、４３℃〜５５℃が最も好ましい。最高温度が、４３℃未満の場合、血流を良くするのために必要とされる約４３℃にならない。最高温度が、６５℃を超える場合、低温火傷の可能性があると共に、発熱時間が短くなる可能性がある。
【００２９】
持続時間は、例えば１０分〜３時間が好ましく、１０分〜２時間がより好ましく、１０分〜１時間が最も好ましい。持続時間が、１０分未満の場合、鼻づまり解消効果が十分に得られなくなる可能性がある。持続時間が、３時間を超える場合、低温火傷の可能性があると共に、化学発熱組成物４が多量に必要になり、製造コストが増大する可能性がある。
【００３０】
本実施形態では、収容部２の表側シート部材６の突出部６ａを介して化学発熱組成物４が空気と接触するので、この突出部６ａが、化学発熱組成物４を空気に接触させるための通気部となる。
【００３１】
弾性部材５の形状や材質は、装着した時に鼻の側壁を外側に引っ張ることが可能であれば特に限定されない。図１の図示例では、弾性部材５の形状は、長尺の板状であり、平面視で矩形状である。また、弾性部材５の材質としては、例えば、ポリエステル等の合成樹脂等が使用できる。
【００３２】
平面視での一対の収容部２（化学発熱組成物４）の中心の間の距離ｄは、例えば５５ｍｍ〜９０ｍｍであり、６０ｍｍ〜８５ｍｍがより好ましく、６５ｍｍ〜８０ｍｍが最も好ましい。距離ｄが５５ｍｍ未満の場合も、９０ｍｍを超える場合も、刺激すると鼻づまりに効果があるとされる「鼻通」と呼ばれるツボの上に、収容部を配置することが難しくなる可能性がある。
【００３３】
鼻通り改善具１は、使用前には、非通気性の材質の袋体（不図示）の内部に入れ、密封して保管する。鼻通り改善具１を使用する際には、鼻通り改善具１をこの袋体から取り出し、裏側の剥離部材９を剥離し、図２に示すように、粘着層８を鼻部に貼り付けることにより装着する。図示例では、一対の収容部２（化学発熱組成物４）の中心が、「鼻通」と呼ばれるツボの上に配置されている。
【００３４】
以上のように構成された本実施形態の鼻通り改善具１では、表側シート部材６の透湿度が、６００ｇ／（ｍ2・２４ｈ）〜２００００ｇ／（ｍ2・２４ｈ）であるので、化学発熱組成物４が速やかに空気に接触することが可能になる。従って、化学発熱組成物４が、速やかに昇温することが可能になる。これにより、装着後、鼻づまりを速やかに解消することが可能になり、寝付きを良くすることが可能になる。
【００３５】
本発明は、上記実施形態に限定されるものでは無く、その技術的思想の範囲内で、様々な変形が可能である。例えば、上記実施形態では、化学発熱組成物４を表側シート部材６の突出部６ａと裏側シート部材７の間に収容していたが、図３（Ａ）に示すように、化学発熱組成物４を予め収容した通気性の袋部材１０を、表側シート部材６の突出部６ａと裏側シート部材７の間に、収容してもよい。この場合は、袋部材１０と突出部６ａと裏側シート部材７が、化学発熱組成物４を収容する収容部となり、袋部材１０と突出部６ａが、化学発熱組成物４を空気に接触させるための通気部となる。
【００３６】
また、図３（Ｂ）に示すように、化学発熱組成物４を予め収容した通気性の袋部材１０を、裏側の粘着層１１により、表側シート部材６に貼り付けて固定してもよい。この場合は、袋部材１０が、化学発熱組成物４を収容する収容部となり、袋部材１０が、化学発熱組成物４を空気に接触させるための通気部となる。また、この場合には、表側シート部材６と裏側シート部材７は、非通気性の材料であってもよい。
【００３７】
更に、この場合には、鼻通り改善具１の使用前には、袋部材１０の粘着層１１に剥離部材（不図示）を取り付け、袋部材１０を非通気性の材質の袋体（不図示）の内部に入れて密封して保管し、鼻通り改善具１を使用する際に、袋部材１０をこの袋体から取り出し、剥離部材を剥離し、表側シート部材６に貼り付けて固定するようにしてもよい。
【実施例１】
【００３８】
本願の発明者は、本発明に係る鼻通り改善具１に関連して、化学発熱組成物４の発熱温度を評価した。
【００３９】
評価に使用するサンプルＳは、上記実施形態（図１参照）とは異なり、図４に示すように、化学発熱組成物４を収容した収容部２を１つ備えるものであり、連結部３、弾性部材５を備えていない。その他の点については、上記実施形態と同様なので、同一の構成には、同一の符号を付し、詳細な説明は省略する。なお、評価する際には、剥離部材９は剥離して、粘着層８でサンプルＳを計測装置に設置した。
【００４０】
化学発熱組成物４は、円柱形状の打錠成形体のものを使用した。打錠成形体の重量は、１ｇ、直径１５ｍｍ、高さ５ｍｍであった。化学発熱組成物４の成分は、鉄粉３０〜４０重量％、食塩１〜５重量％、水２０〜３０重量％、活性炭粉末１〜５重量％、保水材１０〜２０重量％、温度制御剤１０〜２０重量％であった。
【００４１】
表側シート部材６と裏側シート部材７の透湿度は、８０００ｇ／（ｍ2・２４ｈ）であった。
【００４２】
温度測定用センサＳＴ−２２Ｅ−００５−ＴＳ３−ＷＴ４（足立計器社製）、グラフィックレコーダーＫＲ２Ｓ２Ｐ−ＮＯＡ（チノー社製）を用いて、発熱温度（肌側となる温度）を、１０個のサンプルＳについて測定した。発熱特性として、立ち上がり時間（本実施例では、３１．５℃から３９．９℃になるまでの時間）、最高温度、持続時間（４０℃以上になっている間の時間）を計測した。その結果を図５に示す。また、時間に対する発熱温度を、１０個のサンプルＳの平均値で示したものを図６に示す。
【００４３】
図５から、立ち上がり時間が、いずれのサンプルＳも４０秒以内であることが分かる。また、図６から分かるように、最高温度に達するまでの時間が、５分以内である。これらの時間は、一般の化学カイロと比較して非常に短いものである。このような結果となったのは、袋を構成する不織布の透湿度が、８０００ｇ／（ｍ2・２４ｈ）と大きな値であるため、化学発熱組成物が速やかに空気に接触し、化学発熱組成物が、速やかに昇温したと考えられる。
【実施例２】
【００４４】
また、本願の発明者は、本発明に係る鼻通り改善具１に関連して、官能試験を実施した。
【００４５】
本官能試験には、実施例１で使用したものと同一のサンプルＳを使用した。被験者は、就寝時に鼻づまり症状がある人であり、その数は１５人であった。
【００４６】
試験方法は、次のようなものであった。サンプルＳを、被験者の顔の「鼻通」に装着すると共に、市販品（「ブリーズライト」（登録商標／グラクソ・スミスクライン・コンシューマー・ヘルスケア・ジャパン（株）社製）を被験者の鼻に装着した。つまり、サンプルＳと市販品が本発明の実施品に相当する。比較として、サンプルＳを装着せずに、市販品を被験者の鼻に装着した場合も試験した。
【００４７】
鼻づまりが全くない状態を０．００とすると共に、完全に鼻がつまっている状態を１．００として、「ビジュアル・アナログ・スケール（ＶＡＳ）」で、被験者に、鼻づまりの程度を数値化させた。
【００４８】
装着直前、５分後、１０分後の鼻づまりの程度を、両方の鼻穴で息をした場合、左の鼻穴だけで息をした場合、右の鼻穴だけで息をした場合のそれぞれについて数値化させた。ただし、片方の鼻穴だけで息をする場合は、左右の区別ではなく、両方の鼻穴のうちで鼻づまりが強い方の鼻穴と、鼻づまりが弱い方の鼻穴という区別により、片方の鼻穴を区別した。
【００４９】
試験結果を次のように処理した。鼻づまりの改善の程度を示す値として、５分後、１０分後の数値から装着直前の数値を差し引いたものを算出した。この算出値が、マイナスでその絶対値が大きくなるほど鼻づまりが改善していることになる。この算出値の平均値のグラフを図７〜９に示す。図７が、両方の鼻穴で息をした場合、図８が、鼻づまりが強い片方の鼻穴だけで息をした場合、図９が、鼻づまりが弱い片方の鼻穴だけで息をした場合を示す。また、何れの図でも、サンプルＳと市販品を同時に使用した場合を実線で示し、市販品のみを使用した場合を点線で示している。
【００５０】
図７〜９から分かるように、両方の鼻穴で息をした場合、鼻づまりが強い片方の鼻穴だけで息をした場合、鼻づまりが弱い片方の鼻穴だけで息をした場合のいずれの場合も、サンプルＳと市販品を同時に使用した場合には、鼻づまりが改善している。特に、図８から分かるように、鼻づまりが強い片方の鼻穴だけで息をした場合には、市販品のみを使用した場合と比較して、鼻づまりが大きく改善している。
【符号の説明】
【００５１】
１      鼻通り改善具
２      収容部
３      連結部
４      化学発熱組成物
５      弾性部材
６      表側シート部材
６ａ    突出部
７      裏側シート部材
ｄ      一対の収容部の中心間の距離
【図１】
2020103590.tif 000003
【図２】
2020103590.tif 000004
【図３】
2020103590.tif 000005
【図４】
2020103590.tif 000006
【図５】
2020103590.tif 000007
【図６】
2020103590.tif 000008
【図７】
2020103590.tif 000009
【図８】
2020103590.tif 000010
【図９】
2020103590.tif 000011